(57)【要約】【課題】  複数の側柵を左右方向に連設して支持する構成では、一般に、夫々の連設側の端縁間に隙間を形成しており、この隙間に手、足、首又は頭等が入り込んで抜けなくなり、怪我をする危険性がある。そこで、従来から、このような危険性を解消するための各種の対策が提案されているが、従来の提案では、取り扱いの容易さ等において課題がある。【解決手段】  そこで本発明では、ベッド等の仰臥台１の側部に複数の側柵４を左右方向に連設して支持する構成において、夫々の側柵の連設側の一部８は、他方側の側柵の連設側の端縁を越えた位置で近接して対向させたことを特徴とするベッド等の仰臥台における側柵を提案している。【選択図】    図５
2005287653.tif 000002
【特許請求の範囲】
【請求項１】
ベッド等の仰臥台の側部に複数の側柵を左右方向に連設して支持する構成において、夫々の側柵の連設側の一部は、他方側の側柵の連設側の端縁を越えた位置で近接して対向させたことを特徴とするベッド等の仰臥台における側柵
【請求項２】
夫々の側柵は、対向させる連設側の一部同士の干渉防止のために、夫々仰臥台の側部の奥行方向に傾斜させて支持する構成としたことを特徴とする請求項１に記載のベッド等の仰臥台における側柵
【請求項３】
夫々の側柵は、その連設側の一部の対向面に、干渉防止のための凹部を形成したことを特徴とする請求項１に記載のベッド等の仰臥台における側柵
【請求項４】
凹部は、対向面を切り欠いた形状として構成したことを特徴とする請求項３に記載のベッド等の仰臥台における側柵
【請求項５】
夫々の側柵は、その連設側の一部の対向面に、干渉防止のための傾斜部を形成したことを特徴とする請求項１に記載のベッド等の仰臥台における側柵
【請求項６】
側柵は、側柵本体の下部に脚部を突設した差込式のものとしたことを特徴とする請求項１〜５までのいずれか１項に記載のベッド等の仰臥台における側柵
【請求項７】
側柵は、側柵本体を回動昇降機構により使用位置と格納位置に昇降移動可能に構成したものとし、上昇させた使用位置において、側柵本体が連設状態となる構成としたことを特徴とする請求項１〜５までのいずれか１項に記載のベッド等の仰臥台における側柵
【発明の詳細な説明】
【技術分野】
【０００１】
本発明は、ベッドやストレッチャー等の仰臥台において、床部の側部上方に支持して、布団等の寝具類や、患者等の使用者の転落を防止するための側柵に関するもので、特に、仰臥台の側部に複数の側柵を左右方向に連設して支持する構成の側柵に関するものである。
【背景技術】
【０００２】
例えば、側柵本体の下部に突設した脚部を、ベッドのフレームに形成した取付部に差し込んで使用状態とする構成の差込式側柵には、側柵本体がベッドの側部の全面に対応する長さの全面柵や、分割した長さの側柵の複数を、夫々上記フレームの取付部に差し込むことにより、左右方向に複数連設して支持するものがあり、後者のものは、持ち運びを含め取り扱いが容易であるというような利点がある。
【０００３】
複数の側柵を左右方向に連設して支持する構成では、一般に、夫々の連設側の端縁間に隙間を形成しており、この隙間に手、足、首又は頭等が入り込んで抜けなくなり、怪我をする危険性がある。そこで、従来から、このような危険性を解消するための各種の対策が提案されている。
【０００４】
例えば特許文献１の側柵では、左右方向に連設した側柵の上縁部材と下縁部材の両者の間に連結部材を結合することにより、隙間の上下部を塞いでいる。また特許文献２、３では、左右方向に連設した側柵の上縁部材の間にのみ連結部材を結合して、隙間の上部のみを塞いでいる。
【０００５】
また特許文献４の側柵では、左右方向に連設して支持する側柵の連設側の端縁間の距離を３ｃｍ以下と短くして、隙間に首等を挟まないようにしている。
【０００６】
一方、特許文献５又は６の側柵は、複数の柵から構成されるのであるが、分割して構成した複数の柵は折り畳み可能に連結して一体の構成、即ち全面柵として構成されている。
【特許文献１】特許第２８３２６９９号公報
【特許文献２】特開２００３−７９６７４号公報
【特許文献３】特開２００３−２３５９１０号公報
【特許文献４】特許第３０３２１３５号公報
【特許文献５】特許第２８３２７００号公報
【特許文献６】特許第２８３２７０１号公報
【発明の開示】
【発明が解決しようとする課題】
【０００７】
以上に説明した従来の対策では、次のような課題がある。
特許文献１〜３のように、複数の側柵を左右方向に連設した後に、別部材としての連結部材を結合するものでは、結合する際と、取り外す際の作業が面倒であり、取り外した結合部材の保管場所が必要になるというような課題がある。
【０００８】
特許文献４のように、左右方向に連設した側柵の端縁間の距離を単に短くしようとするものでは、全く隙間をなくすことはできず、また両端縁間の距離を非常に短くすると、側柵を掴んだ際等に、端縁同士が接触して異音が発生する等の課題がある。
【０００９】
特許文献５，６のように全面柵として構成したものでは、折り畳み可能ではあっても、複数の側柵を連設して支持しただけのものと比較して、運搬等における取り扱いは容易ではなく、またベッド等における支持位置を選択的に変更することは困難である。
本発明は、以上のいろいろな課題を解決することを目的とするものである。
【課題を解決するための手段】
【００１０】
上述した課題を解決するために、本発明では、ベッド等の仰臥台の側部に複数の側柵を左右方向に連設して支持する構成において、夫々の側柵の連設側の一部は、他方側の側柵の連設側の端縁を越えた位置で近接して対向させるという構成のベッド等の仰臥台における側柵を提案する。
【００１１】
また本発明では、上記構成において、夫々の側柵は、対向させる連設側の一部同士の干渉防止のために、夫々仰臥台の側部の奥行方向に傾斜させて支持する構成とすることを提案する。
【００１２】
また本発明では、上記構成において、夫々の側柵は、その連設側の一部の対向面に、干渉防止のための凹部を形成することを提案する。
【００１３】
また本発明では、上記構成において、凹部は、対向面を切り欠いた形状として構成することを提案する。
【００１４】
また本発明では、上記構成において、夫々の側柵は、その連設側の一部の対向面に、干渉防止のための傾斜部を形成することを提案する。
【００１５】
以上の本発明では、側柵は、側柵本体の下部に脚部を突設した差込式のものを適用する他、側柵本体を回動昇降機構により使用位置と格納位置に昇降移動可能に構成したものとし、上昇させた使用位置において、側柵本体が連設状態となる構成のものを適用することもできる。
【発明の効果】
【００１６】
本発明では、夫々の側柵の連設側の一部は、他方側の側柵の連設側の端縁を越えた位置で近接して対向させるため、夫々の連設側の一部の対向面の間に左右方向の狭い隙間は生じるが、その隙間の両側には側柵の一部が位置しているので、人の部位が入り込むような隙間は実質的に存在しない。
【００１７】
また各側柵は夫々独立して着脱等が可能であるので、運搬等に際しての取り扱いが容易である。
【実施例１】
【００１８】
次に本発明の実施例を添付図面を参照して説明する。
図１〜図３は本発明の第１の実施例に対応するもので、図１は全体の正面図、図２は図１の平面図、図３は側柵のみの斜視図である。
符号１はベッド等の仰臥台を示すものであり、側部フレーム２には、その長さ方向に複数の取付部３が形成されている。
符号４は側柵であり、この側柵４は、側柵本体５の下部に、上記取付部３に差し込んで支持する脚部６ａ，６ｂを突設している。図３に示しているように、脚部６ａは、支持体７により、側柵本体５の下方から横方向にずらして突設している。
【００１９】
以上の構成において、側柵４の脚部６ｂを仰臥台１の端部側の取付部３に差し込むものとして、２つの側柵４の夫々の脚部６ａ，６ｂを、夫々対応する取付部３に差し込むと、２つの側柵４は、夫々仰臥台１の側部の奥行方向に傾斜した状態で連設される。尚、取付部３に脚部６ａ，６ｂを差し込んだ状態の符号を、図においては、３（６ａ又は６ｂ）又は６ａ又は６ｂ（３）というような記法により表している。
【００２０】
このような連設状態では、夫々の側柵４の連設側の一部８、即ち、図中符号ｐで示す範囲の部分は、他方側の側柵４の連設側の端縁を越えた位置で近接して対向している。
【００２１】
このため、夫々の連設側の一部８の対向面の間に左右方向の狭い隙間９は生じるが、その隙間９の上記範囲ｐの両側には側柵の一部８が位置しているので、人の部位が入り込むような隙間は実質的に生じない。
【００２２】
図に示すように、上記範囲ｐには両方の側柵の連設側の一部８が位置するため、奥行き方向の幅が広くなる傾向があるが、図に示すように連設側の一部８の厚さを次第に薄くなるように形成すれば、奥行き方向の幅が広くなりすぎることはなく、これらの一部８同士の干渉を防止することができる。
【実施例２】
【００２３】
次に図４〜図７は本発明の第２の実施例を示すものであり、図４は全体の正面図、図５はその平面図、図６は図５の一部の拡大図、図７は側柵のみの斜視図である。これらの図においては、第１の実施例と同様な構成要素には同一の符号を付して重複する説明は省略する。
この実施例では、側柵４は、第１の実施例と異なり、一対の脚部６を、通常の差込式側柵と同様に、いずれも側柵本体５の下方に突設している。またこの実施例では、第１の実施例における範囲ｐの個所に相当する側柵の連設側の一部８は、その厚さｄを、側柵本体５の他の部分の厚さＤの半分よりも薄く形成している。即ち、連設側の一部８の厚さｄは次の式を満足するものとしている。
ｄ＜（１／２）Ｄ
【００２４】
以上の構成において、２つの側柵４の連設側を内側に配置して、夫々の脚部６を、夫々対応する取付部３に差し込むと、２つの側柵４は、仰臥台１の側部に連設して支持される。
【００２５】
このような連設状態では、夫々の側柵４の連設側の一部８、即ち、図中符号ｐで示す範囲の部分は、他方側の側柵４の連設側の端縁を越えた位置で近接して対向している。
【００２６】
このため、夫々の連設側の一部８の対向面の間に左右方向の狭い隙間９は生じるが、その隙間９の上記範囲ｐの両側には側柵の一部８が位置しているので、人の部位が入り込むような隙間は実質的に生じない。
【００２７】
図に示すように、上記範囲ｐには両方の側柵の連設側の一部８が位置しているが、この一部８の厚さｄは、側柵本体５の他の部分の厚さＤの半分よりも薄く構成していて、対向面に凹部１０が形成され、そしてこの凹部１０は対向面を切り欠いた状態であるので、両方の側柵４を一線上に支持しても、それらの一部８同士が干渉することはない。
【実施例３】
【００２８】
次に図８は本発明の第３の実施例を示すもので、全体の平面図である。
側柵４は第２の実施例と異なり、連設側の一部８は、凹部１０を形成しているが、この凹部１０は一部８を側柵本体５の他の部分に対してずらすことにより形成している。この実施例では、図に示すように、上記範囲ｐには両方の側柵の連設側の一部８が位置するため、奥行き方向の幅が広くなる傾向があるが、側柵４としての使用に差し支えはない。
【実施例４】
【００２９】
次に図９、図１０は本発明の第４の実施例を示すもので、図９は仰臥台１を仮想線で表した正面図、図１０は図９のＡ−Ａ線矢視図である。
この実施例は、 これまでの実施例１〜３では、側柵本体５が板状に構成されていたのに対して、この実施例では、側柵本体５はフレーム部材により格子状に形成したものである。そしてこの実施例においては、各側柵４の上記範囲ｐに位置する夫々の連設側の一部８には傾斜部１１を形成したものである。
【００３０】
この構成では、夫々の連設側の一部８の対向面の間に左右方向の狭い隙間９は生じるが、その隙間９の上記範囲ｐの両側には側柵の一部８が位置しているので、人の部位が入り込むような隙間は実質的に生じない。
【００３１】
そして各側柵４の上記範囲ｐに位置する夫々の連設側の一部８には傾斜部１１を形成しているので、両方の側柵４を一線上に支持しても、それらの一部８同士が干渉することはない。
【実施例５】
【００３２】
次に図１１、図１２は本発明の第５の実施例を示すもので、図１１は全体正面図、図１２は平面図である。
この第５の実施例では、仰臥台１に対しての側柵４の支持の仕方のみが上述した第２の実施例と相違するものであり、その他は同様であるため、これらの図において、相当する構成要素には同一の符号を付して重複する説明は省略する。
即ち、この実施例では、上述したように側柵４は、側柵本体５の下部に脚部６を突設した差込式のものではなく、側柵４は、側柵本体５を回動昇降機構により使用位置と格納位置に昇降移動可能に構成したものとし、上昇させた使用位置において、左右側の側柵４の側柵本体５が連設状態となる構成としている。尚、符号１２は回動昇降機構を代表して示す回動支持腕であり、回動昇降機構を用いた側柵及びその動作は周知であるので詳細な機構の説明は省略する。
【００３３】
この実施例においても第２の実施例と同様な作用効果を奏するのであり、このように本発明を適用可能な側柵は、仰臥台の側部に複数の側柵を左右方向に連設して支持する構成であればいずれも適用可能である。
【産業上の利用可能性】
【００３４】
本発明は以上の通りであるので、産業上の利用において、次のような利点がある。
１．複数の側柵を左右方向に連設した後に、別部材を取り付ける必要がないので、別部材を取り付けるもののように、結合する際と、取り外す際の作業が面倒であるということがなく、取り外した結合部材の保管場所が必要になるというようなこともない。
２．左右方向に連設した側柵の端縁間の距離を単に短くしたものとは異なり、人の部位が入り込むような隙間を実質的に生じず、しかも側柵を掴んだ際等に、端縁同士が接触して異音が発生する等の不都合もない。
３．全面柵や、折り畳み可能な全面柵と比較して、運搬等における取り扱いが容易で、またベッド等における支持位置を選択的に変更することも可能である。
【図面の簡単な説明】
【００３５】
【図１】本発明の第１の実施例の全体正面図である。
【図２】図１の平面図である。
【図３】側柵のみの斜視図である。
【図４】本発明の第２の実施例の全体正面図である。
【図５】図１の平面図である。
【図６】図５の要部の拡大図である。
【図７】側柵のみの斜視図である。
【図８】本発明の第３の実施例の全体平面図である。
【図９】本発明の第４の実施例の説明的正面図である。
【図１０】図９のＡ−Ａ線矢視図である。
【図１１】本発明の第５の実施例の説明的正面図である。
【図１２】図１１の平面図である。
【符号の説明】
【００３６】
１          仰臥台（ベッド等）
２          側部フレーム
３          取付部
４          側柵
５          側柵本体
６          脚部
６ａ，６ｂ  脚部
７          支持体
８          一部（連設側）
９          隙間
１０        凹部
１１        傾斜部
１２        回動支持腕
ｐ          範囲
【図１】
2005287653.tif 000003
【図２】
2005287653.tif 000004
【図３】
2005287653.tif 000005
【図４】
2005287653.tif 000006
【図５】
2005287653.tif 000007
【図６】
2005287653.tif 000008
【図７】
2005287653.tif 000009
【図８】
2005287653.tif 000010
【図９】
2005287653.tif 000011
【図１０】
2005287653.tif 000012
【図１１】
2005287653.tif 000013
【図１２】
2005287653.tif 000014